(57)【要約】【課題】断熱性能及び排水性能を同時に確保することができ、折板屋根の屋上緑化に適した屋上緑化用の下地材料を提供する。【解決手段】下地材料は、突部１１ｂと溝部１１ａとが交互に形成される波形の折板１１上に載せられる。この下地材料は、折板１１の溝部１１ａに嵌められると共に溝部１１ａの両側面１１ｃ，１１ｃに面接触できるテーパ面１２，１２を有する下地材料Ａと、折板１１の突部１１ｂ上に載せられると共に下地材料Ａの間に配置される下地材料Ｂとの２種類を有する。溝部１１ａに嵌められる前記下地材料Ａ及び突部１１ｂ上に載せられる下地材料Ｂの組合せによって、下地材料Ａ及び下地材料Ｂの上面が実質的に平面に形成される。また溝部１１ａに嵌められる下地材料Ａの下面１４と溝部１１ａの底面との間には、排水のための空間が形成される。【選択図】      図１
2004176286.tif 000002
【特許請求の範囲】
【請求項１】
突部と溝部とが交互に形成される波形の折板上に載せられ、屋上緑化に用いられる下地材料であって、
前記下地材料は、前記溝部に嵌められるときに前記溝部の両側面に面接触できるテーパ面を有し、
前記溝部に嵌められる前記下地材料の下面と前記折板の前記溝部との間には、排水のための空間が形成されることを特徴とする屋上緑化に用いられる下地材料。
【請求項２】
突部と溝部とが交互に形成される波形の折板上に載せられ、屋上緑化に用いられる下地材料であって、
前記下地材料は、前記折板の前記溝部に嵌められると共に前記溝部の両側面に面接触できるテーパ面を有する下地材料（Ａ）と、
前記折板の前記突部上に載せられると共に前記下地材料（Ａ）の間に配置される下地材料（Ｂ）との２種類を有し、
前記溝部に嵌められる前記下地材料（Ａ）及び前記突部上に載せられる前記下地材料（Ｂ）の組合せによって、前記下地材料（Ａ）及び前記下地材料（Ｂ）の上面が実質的に平面に形成されることを特徴とする屋上緑化に用いられる下地材料。
【請求項３】
前記下地材料の上面には、排水のための溝が形成されることを特徴とする請求項１又は２に記載の屋上緑化に用いられる下地材料。
【請求項４】
請求項１ないし３いずれかに記載の前記下地材料を折板上に載せ、前記下地材料上に植物及び土壌を有する緑化システムを施工することを特徴とする屋上緑化工法。
【発明の詳細な説明】
【０００１】
【発明の属する技術分野】
本発明は、住宅建築、商業建築等に用いられる折板屋根面に屋上緑化を施工する場合の下地材料及び該下地材料を使用した屋上緑化工法に関する。
【０００２】
【従来の技術】
屋上緑化は近年急速に普及しつつあるが、多くの工法が陸屋根を前提としており、商業建築、倉庫建築、プレハブ工法に多用される折板屋根に適用される工法は少ない。技術開発が進まない理由は、植物の特性上、波形に折れ曲がった屋根面を平滑に仕上げた上で、排水層、土壌、植物を敷設する必要があり、緑化技術を導入する前段階、つまり屋根面を平滑に仕上げる工程に多大な費用と労力がかかるからである。
【０００３】
折板屋根面に屋上緑化する工法として例えば以下に記載の工法が知られている。
【０００４】
（１）平板施工タイプ。図５に示されるように、折板屋根面１に、合板、ケイカル板、ＦＲＰなどの耐水性と曲げ強度を持った板状建材２を敷き、その上に緑化システム３を施工する。緑化システム３は土壌、排水性能、保水性能等に特色を持っている。
【０００５】
（２）トレイタイプ。図６に示されるように、折板屋根面１の上に、５００ｍｍ×５００ｍｍ程度の緑化システムを組み込んだトレイ４…を敷き並べる。トレイタイプの緑化システムでは、漏水した場合や植物が枯れた場合、該当するトレイ４だけを交換するだけでいいので、メンテナンス性がよいという利点がある。
【０００６】
（３）溝部充填タイプ。図７に示されるように、折板１の溝部内を発泡スチロール製の保持材５で充填し、保持材５の上に通水性部材６を敷き、通水性部材６の上に土壌７を吹き付ける。折板１の溝部内を発泡スチロール製の保持材５で充填することで、軽量化が図れ、断熱効果が得られる（例えば特許文献１参照）。
【０００７】
【特許文献１】特開２０００−１３１９９号公報
【０００８】
【発明が解決しようとする課題】
このような折板屋根に用いられる屋上緑化システム及び屋上緑化システムの下地材料には、植物を育成させるために水を蓄える保水性能、並びに水が溜まりすぎて根ぐされするのを防止する排水性能が要求される。また植物にとって根（土壌）の温度変化は、育成に大きく影響することが知られている。例えば冬季に根が凍ってしまう凍害を防止するために、断熱性能も要求される。また荷重を見込んでいない折板屋根上に敷設されるので、軽量であることも要求される。
【０００９】
しかしながら、上記（１）平板施工タイプ及び（２）トレイタイプの屋上緑化工法にあっては、緑化面の下部と折板屋根の溝部との間に空隙ができてしまう。通常の自然環境であれば、この空隙は土壌で満たされており、温度及び湿度の変化が非常に少ないが、空間を有したまま上部の緑化システムを施工するのが前提となる屋上緑化工法では、土壌の温度及び湿度の変化が大きく、植物の育成に配慮した工法ではない。
【００１０】
また（３）溝部充填タイプの屋上緑化工法にあっては、保持材が断熱材の役割をするので、折板１の溝部の部分（保持材５がある部分）では断熱性能を確保することができるが、折板１の突部の部分（保持材５がない部分）では充分な断熱性能を確保できないという問題がある。また折板１の溝部が保持材５で充填されるので、折板上に溜まった水を排水することができないという問題もある。
【００１１】
そこで本発明は、断熱性能及び排水性能を同時に確保することができ、折板屋根の屋上緑化に適した下地材料及び該下地材料を使用した屋上緑化工法を提供することを目的とする。
【００１２】
【課題を解決するための手段】
上記課題を解決するために、請求項１の発明は、突部と溝部とが交互に形成される波形の折板上に載せられ、屋上緑化に用いられる下地材料であって、前記下地材料は、前記溝部に嵌められるときに前記溝部の両側面に面接触できるテーパ面を有し、前記溝部に嵌められる前記下地材料の下面と前記折板の前記溝部との間には、排水のための空間が形成されることを特徴とする。
【００１３】
この発明によれば、下地材料を折板の溝部に嵌めることで、高度な断熱性能を安価かつ容易に確保することができる。また緑化による荷重は下地材料のテーパ面より折板（建築物）に伝達され、下地材料の下面と折板の溝部との間には排水のための空間が形成される。このため、折板上面に溜められる水を排水するための排水層として、この空間を利用することができる。
【００１４】
請求項２の発明は、突部と溝部とが交互に形成される波形の折板上に載せられ、屋上緑化に用いられる下地材料であって、前記下地材料は、前記折板の前記溝部に嵌められると共に前記溝部の両側面に面接触できるテーパ面を有する下地材料（Ａ）と、前記折板の前記突部上に載せられると共に前記下地材料（Ａ）の間に配置される下地材料（Ｂ）との２種類を有し、前記溝部に嵌められる前記下地材料（Ａ）及び前記突部上に載せられる前記下地材料（Ｂ）の組合せによって、前記下地材料（Ａ）及び前記下地材料（Ｂ）の上面が実質的に平面に形成されることを特徴とする屋上緑化に用いられる下地材料により、上述した課題を解決する。
【００１５】
この発明によれば、下地材料（Ａ）と下地材料（Ｂ）との組合せによって、平滑な緑化施工面と、高度な断熱性能を安価且つ容易に確保することができる。したがって、平滑な板状の建材を使って緑化面を平らにする必要もなく、また折板緑化工法の最大の欠点である植物の育成不良（例えば植物の根の凍結による枯れ）を防止することができる。
【００１６】
請求項３の発明は、請求項１又は２に記載の屋上緑化に用いられる下地材料において、前記下地材料の上面には、排水のための溝が形成されることを特徴とする。
【００１７】
この発明によれば、下地材料の上面に更なる排水機能を持たせることができる。
【００１８】
また本発明は、請求項４に記載のように、請求項１ないし３いずれかに記載の前記下地材料を折板上に載せ、下地材料上に植物及び土壌を有する緑化システムを施工することを特徴とする屋上緑化工法としても構成することができる。
【００１９】
【発明の実施の形態】
以下添付図面に基づいて本発明の一実施形態における屋上緑化に用いられる下地材料を説明する。図１は折板屋根上に載せられる下地材料の斜視図を示す。折板屋根１１は、突部１１ｂと溝部１１ａとが交互に形成される断面形状を有し、鉄骨構造の建築物の母屋１２等に固定されている。このような折板屋根は、低コストが図れることから商業建築や倉庫建築等に用いられることが多い。折板屋根を屋上緑化できることは、多数の商業建築を屋上緑化できることにつながるので、その意義は大きい。
【００２０】
本実施形態の下地材料は、折板１１の溝部１１ａに嵌められる下地材料Ａと、折板１１の突部１１ｂ上に載せられる下地材料Ｂとの２種類から構成される。
【００２１】
図２及び図３は下地材料Ａの詳細図を示す。図２は折板１１の溝部１１ａに嵌め込まれた下地材料Ａを示し、図３は下地材料Ａのみを示す。下地材料Ａは断面が５角形形状に形成され、折板１１の溝部１１ａの両側面１１ｃ，１１ｃに対応できるように両側面１１ｃ，１１ｃと等しい勾配のテーパ面１２，１２を有する。そして下地材料Ａを溝部１１ａに嵌めたとき、下地材料Ａのテーパ面１２，１２が溝部１１ａの両側面１１ｃ，１１ｃに面接触する。このとき、下地材料Ａの上面１３が折板１１の突部１１ｂの頂の高さよりも高くなり、下地材料Ａの下面１４と折板１１の溝部１１ａの底面との間には空間Ｓが形成されるようになっている。下地材料Ａの横幅ｗ１は、溝部１１ａの横幅に等しく、一対の下地材料Ａ，Ａの間には突部１１ｂの頂の横幅ｗ２と等しい隙間が空くようになっている。下地材料Ａの材料には、軽量化を考慮して例えば発泡スチロール等の樹脂材が使用される。ここで下地材料Ａの断面形状を５角形状にすることで、例えば断面四角形状の発泡スチロールの建材を面取りするように切断して下地材料Ａを製造することができる。この下地材料Ａは例えば両面テープ等の接着手段によって折板１１に固定され、水下の部分は止め部材によって折板１１の端部に固定される。また商業建築の場合は下地材料Ａの長手方向の長さも長くなるので、長手方向に複数接合されることもある。
【００２２】
下地材料Ｂは、図１に示されるように、断面が四角形状に形成される。下地材料Ｂの横幅は突部１１ｂの頂の横幅ｗ２に等しく、その高さは頂きから下地材料Ａまでの高さに等しい。そして、下地材料Ａ及び下地材料Ｂ間に挟まれる下地材料Ｂとの組合せによって、下地材料Ａ及び下地材料Ｂの上面が実質的に平面に形成されるようになっている。下地材料Ｂの材料にも、軽量化を考慮して例えば発泡スチロール等の樹脂材が使用される。下地材料Ｂも例えば両面テープ等の接着手段によって折板１１の突部１１ｂに固定される。
【００２３】
実質的な平面に形成された下地材料Ａ及びＢの上面には、緑化システムが施工される。具体的な緑化システムとしては、例えば植物の根が下地材料Ａ，Ｂ側に入っていくのを防止する耐根シート、植物が根ぐされするのを防止する排水層、植物が生育するために必要な水分を蓄える保水層、芝やセダム等の植物の種子が配合される土壌等が順次施工される。
【００２４】
緑化システムの下地材料を上記実施形態のような下地材料Ａ及び下地材料Ｂの２種類で構成することで、平滑な緑化施工面と、高度な断熱性能を確保することができる。このため別途平滑な板状の建材を使って緑化面を平らにする必要もなく、また折板緑化工法の最大の欠点である植物の育成不良（例えば植物の根の凍結による枯れ）を防止することができる。
【００２５】
また下地材料Ａの下面１４と折板１１の溝部１１ａの底面との間には空間Ｓが形成されるので、下地材料Ａ及び下地材料Ｂの間の僅かな隙間、及び下地材料Ａのテーパ面１２，１２と折板１１の溝部１１ａの両側面１１ｃ，１１ｃとの間の僅かな隙間を通る水を排水するための排水層として、この空間Ｓを利用することができる。
【００２６】
図４は下地材料Ａの他の例を示す。この例の下地材料Ａの上面には長手方向に伸びる複数条の溝１６…が形成されている。図示しないが、下地材料Ｂにも同様な溝が形成されていてもよい。このように下地材料Ａの上面に溝１６…を形成することによって、緑化システムの排水を促すことができ、例えば緑化システムの排水層をなくし、下地材料に保水マット等の保水層を直接載せることも可能になる。
【００２７】
なお、本発明は上記実施形態に限定されるものでなく、本発明の範囲を逸脱しない範囲で種々変更可能である。例えば下地材料上に施工される緑化システムには、トレイに土壌及び植物が収納されるトレイタイプのものを用いることもできる。また下地材料は折板の屋根に直接載せられても良いし、折板の屋根に防水シートを施工した後に載せられても良い。
【００２８】
【発明の効果】
以上説明したように、本発明によれば、下地材料を折板の溝部に嵌めることで、高度な断熱性能を安価かつ容易に確保することができる。また下地材料の下面と折板との間に形成される空間を、排水層として利用することもできる。
【００２９】
また本発明によれば、下地材料（Ａ）と下地材料（Ｂ）との組合せによって、平滑な緑化施工面と、高度な断熱性能を安価且つ容易に確保することができる。したがって、平滑な板状の建材を使って緑化面を平らにする必要もなく、また折板緑化工法の最大の欠点である植物の育成不良（例えば植物の根の凍結による枯れ）を防止することができる。
【図面の簡単な説明】
【図１】本発明の一実施形態における下地材料を示す斜視図。
【図２】下地材料及び折板の断面図。
【図３】下地材料Ａの断面図。
【図４】下地材料Ａの他の例を示す断面図。
【図５】従来の平板施工タイプの緑化システム及び下地材料を示す断面図。
【図６】従来のトレイタイプの緑化システムを示す断面図。
【図７】従来の溝部充填タイプの緑化システム及び下地材料を示す断面図。
【符号の説明】
Ａ…下地材料
Ｂ…下地材料
Ｓ…空間
１１…折板
１１ａ…溝部
１１ｂ…突部
１１ｃ，１１ｃ…両側面
１２，１２…テーパ面
１６…溝
【図１】
2004176286.tif 000003
【図２】
2004176286.tif 000004
【図３】
2004176286.tif 000005
【図４】
2004176286.tif 000006
【図５】
2004176286.tif 000007
【図６】
2004176286.tif 000008
【図７】
2004176286.tif 000009